(57)【要約】【課題】  容器の外観性を向上すること。【解決手段】  容器本体１０の開口部１０Ａに蓋体２０を着脱可能にする容器１において、蓋体２０の天面が容器本体１０の側から外方に向けて膨出状をなす膨出部２３Ｂを備えてなるもの。【選択図】  図２
0003138492.tif 000002
【実用新案登録請求の範囲】
【請求項１】
容器本体の開口部に蓋体を着脱可能にする容器において、
蓋体の天面が容器本体の側から外方に向けて膨出状をなす膨出部を備えてなることを特徴とする容器。
【請求項２】
前記蓋体が、
容器本体の開口部に被着される外枠と、
外枠の枠内に係入されて外枠の上部係止部に係止される受板と、
外枠の枠内における受板の下側に係入される外縁部を備えるとともに、外枠の枠内から枠外に膨出する膨出部を備える天面部材と、
外枠の枠内に係着されて受板との間に、天面部材の外縁部を挟持する押え板とを有する請求項１に記載の容器。
【請求項３】
前記容器本体に挿着される仕切体を有し、仕切体は容器本体の内部を該容器本体の平面視で複数の区画に仕切る複数の仕切部を有し、
仕切体の各仕切部は容器本体の内面に当接し得る側縁部を備えるとともに、容器本体の開口部に臨む上記側縁部の上端に該容器本体の平面視で該容器本体の開口部の内周より内方にまで切欠かれた蓋装填部を備え、
蓋体を仕切体の各仕切部が備える蓋装填部に着脱可能にする請求項１又は２に記載の容器。
【請求項４】
前記蓋体の膨出部が計量部を構成する請求項１〜３のいずれかに記載の容器。
【請求項５】
前記蓋体の膨出部が透明体からなる請求項１〜４のいずれかに記載の容器。
【考案の詳細な説明】
【技術分野】
【０００１】
本考案は容器に関する。
【背景技術】
【０００２】
容器では、特許文献１、２に記載の如く、容器本体の開口部に蓋体を着脱可能にしている。
【０００３】
特許文献１に記載の容器は、蓋体の天面を平坦状にしている。
特許文献２に記載の容器は、容器本体の内部を複数の区画に仕切る仕切体を該容器本体に挿着し、容器本体の開口部の外周に蓋体を上から着脱可能にしている。
【特許文献１】実公昭56-50981
【特許文献２】特開平8-26251
【考案の開示】
【考案が解決しようとする課題】
【０００４】
特許文献１に記載の容器は、蓋体の天面を平坦状にしており、外観の変化に乏しい。
特許文献２に記載の容器は、蓋体を容器本体の開口部の外周に上から被着しており、蓋体の容器本体の上端部を隠すことになり、外観の変化に乏しい。
【０００５】
本考案の課題は、容器の外観性を向上することにある。
【課題を解決するための手段】
【０００６】
請求項１の考案は、容器本体の開口部に蓋体を着脱可能にする容器において、蓋体の天面が容器本体の側から外方に向けて膨出状をなす膨出部を備えてなるようにしたものである。
【０００７】
請求項２の考案は、請求項１の考案において更に、前記蓋体が、容器本体の開口部に被着される外枠と、外枠の枠内に係入されて外枠の上部係止部に係止される受板と、外枠の枠内における受板の下側に係入される外縁部を備えるとともに、外枠の枠内から枠外に膨出する膨出部を備える天面部材と、外枠の枠内に係着されて受板との間に、天面部材の外縁部を挟持する押え板とを有するようにしたものである。
【０００８】
請求項３の考案は、請求項１又は２の考案において更に、前記容器本体に挿着される仕切体を有し、仕切体は容器本体の内部を該容器本体の平面視で複数の区画に仕切る複数の仕切部を有し、仕切体の各仕切部は容器本体の内面に当接し得る側縁部を備えるとともに、容器本体の開口部に臨む上記側縁部の上端に該容器本体の平面視で該容器本体の開口部の内周より内方にまで切欠かれた蓋装填部を備え、蓋体を仕切体の各仕切部が備える蓋装填部に着脱可能にするようにしたものである。
【０００９】
請求項４の考案は、請求項１〜３のいずれかの考案において更に、前記蓋体の膨出部が計量部を構成するようにしたものである。
【００１０】
請求項５の考案は、請求項１〜４のいずれかの考案において更に、前記蓋体の膨出部が透明体からなるようにしたものである。
【考案の効果】
【００１１】
（請求項１）
(a)蓋体の天面が容器本体の側から外方に向けて膨出状をなす膨出部を備える。膨出部の形態として、山等の自然物、動物等の形態を採用することにより、容器の外観性を向上できる。膨出部を計量部として用いることもできる。
【００１２】
（請求項２）
(b)蓋体が、外枠の枠内に係着されて受板との間に、天面部材の外縁部を挟持する押え板を有する。押え板を着脱することにより、天面部材を簡易に交換でき、天面部材が備える膨出部の変更により多様な外観を選択的に得ることができる。天面部材が備える膨出部を計量部とするときには、多様な計量サイズを選択的に得ることができる。
【００１３】
(c)蓋体が、外枠の枠内に、受板、天面部材の外縁部、押え板を装填して構成されることにより、外枠を直径方向の両側からつかむ外力に対する蓋体の圧縮強度を向上できる。
【００１４】
（請求項３）
(d)仕切体の各仕切部は容器本体の内面に当接し得る側縁部を備えるとともに、容器本体の開口部に臨む上記側縁部の上端に該容器本体の平面視で該容器本体の開口部の内周より内方にまで切欠かれた蓋装填部を備え、蓋体を仕切体の各仕切部が備える蓋装填部に着脱可能にする。蓋体が容器本体の開口部の内面より内方にまで切欠かれた各仕切部の蓋装填部に着脱される。蓋体が容器本体の上端部を隠すことなく、容器本体の上端部が外界に直に露呈され、容器の外観性を向上できる。
【００１５】
(e)仕切体の各仕切部は容器本体の内面に当接し得る側縁部を備えるから、容器本体を直径方向の両側からつかむ外力に対する容器本体の圧縮強度を向上できる。
【００１６】
(f)容器の平面視で、蓋体が容器本体の外側に張り出ることがなく、容器本体の外径が容器の最大外径になる。従って、複数の容器を隣接させて配置するとき、容器の配置密度を高密度化でき、包装箱等への充填密度、陳列棚への陳列密度を高密度化できる。
【００１７】
（請求項４）
(g)蓋体の膨出部を計量部として使用できる。計量部には計量目盛線を付すことができる。
【００１８】
（請求項５）
(h)蓋体の膨出部が透明体からなるものとすることにより、蓋体を容器本体に装填したまま、容器本体の内容物を視認できる。
【考案を実施するための最良の形態】
【００１９】
図１は実施例１の容器を示す斜視図、図２は容器を示す断面図、図３は容器の段積状態を示す断面図、図４は蓋体の構成部品を示し、（Ａ）は外枠を示す斜視図、（Ｂ）は受板を示す斜視図、（Ｃ）は天面部材を示す斜視図、（Ｄ）は押え板を示す斜視図、図５は実施例２の容器を示す斜視図、図６は容器を示す断面図、図７は仕切体を示す斜視図である。
【実施例】
【００２０】
（実施例１）（図１〜図４）
図１に示した紙容器１は、容器本体１０の開口部１０Ａに蓋体２０を着脱可能にしたものである。
【００２１】
容器本体１０は、図２に示す如く、紙製筒状体１１の上向きに拡径するテーパ状内面の中間部に紙製底板１２を落とし込んで係着したものである。
【００２２】
蓋体２０は、図２に示す如く、容器本体１０に取着した状態で、容器本体１０の側から外方に向けてドーム状等の膨出状をなす膨出部２３Ｂを天面に備える。
【００２３】
蓋体２０は、図２、図４に示す如く、外枠２１と受板２２と天面部材２３と押え板２４の組立体である。外枠２１は、紙等からなり、容器本体１０の開口部１０Ａの外周に被着される単筒状をなす。受板２２は、紙等からなり、外枠２１の枠内に係入されて外枠２１の上端カール状の上部係止部２１Ａに係止されるドーナツ板状をなす。天面部材２３は、紙、又はプラスチック等からなり、外枠２１の枠内における受板２２の下側に係入される外縁部２３Ａを備えるとともに、外縁部２３Ａの内周側につながって外枠２１の枠内から枠外にドーム状等をなす如くに膨出する膨出部２３Ｂを備える。押え板２４は、紙等からなり、外枠２１の枠内に軽圧入する等により係着されて受板２２との間に、天面部材２３の外縁部２３Ａを挟持するドーナツ板状、又は孔なし板状をなす。
【００２４】
蓋体２０は、外枠２１、受板２２、天面部材２３、押え板２４を接着することなく、分解可能に組立てて構成され、各種形態の膨出部２３Ｂを備える天面部材２３を交換組込みできる。天面部材２３の膨出部２３Ｂは、山等の自然物、動物等の形態を採用できる。天面部材２３の膨出部２３Ｂは、計量部としても利用できる。天面部材２３の膨出部２３Ｂを計量部とするとき、押え板２４はドーナツ板状をなし、膨出部２３Ｂには計量目盛線を付すこともできる。
【００２５】
蓋体２０は、天面部材２３を透明プラスチック体にて形成することもできる。このとき、押え板２４がドーナツ板状をなすものとすれば、蓋体２０の外側から容器本体１０の内容物を視認できる。
【００２６】
本実施例によれば以下の作用効果を奏する。
(a)蓋体２０の天面が容器本体１０の側から外方に向けて膨出状をなす膨出部２３Ｂを備える。膨出部２３Ｂの形態として、山等の自然物、動物等の形態を採用することにより、容器１の外観性を向上できる。膨出部２３Ｂを計量部として用いることもできる。
【００２７】
(b)蓋体２０が、外枠２１の枠内に係着されて受板２２との間に、天面部材２３の外縁部２３Ａを挟持する押え板２４を有する。押え板２４を着脱することにより、天面部材２３を簡易に交換でき、天面部材２３が備える膨出部２３Ｂの変更により多様な外観を選択的に得ることができる。天面部材２３が備える膨出部２３Ｂを計量部とするときには、多様な計量サイズを選択的に得ることができる。
【００２８】
(c)蓋体２０が、外枠２１の枠内に、受板２２、天面部材２３の外縁部２３Ａ、押え板２４を装填して構成されることにより、外枠２１を直径方向の両側からつかむ外力に対する蓋体２０の圧縮強度を向上できる。
【００２９】
(d)容器１を段積みするとき、図３に示す如く、上段側容器１の容器本体１０の底部（筒状体１１の下端部）を、下段側容器１の蓋体２０の外枠２１の枠内において受板２２の上に載せることができ、安定化できる。
【００３０】
（実施例２）（図５〜図７）
図５に示した紙容器１００は、容器本体１１０の開口部１１０Ａに蓋体１２０を着脱可能にしたものである。
【００３１】
容器本体１１０は、図６に示す如く、紙製筒状体１１１のストレート状内面の下端カール状をなす下部係止部１１１Ａの上に紙製底板１１２を落とし込んで係着したものである。容器本体１１０は上端カール状をなす上部係止部１１１Ｂを備える。
【００３２】
容器１００は、容器本体１１０に挿着される紙製仕切体１３０を有する。仕切り体１３０は、図７に示す如く、容器本体１１０の底板１１２の上に着座する板状ベース部１３１を備え、ベース部１３１に連続して容器本体１１０の上端部（上部係止部１１１Ｂ）より上方にまで延在する複数の仕切部１３２を有する。仕切部１３２は、ベース部１３１の中心部の上方に延在する中心軸から放射状（本実施例では十字状）をなす如くに、容器本体１１０の筒状体１１１の内面にまで半径方向に延在し、容器本体１１０の内部を該容器本体１１０の平面視で複数の区画Ａ（本実施例では４区画）に仕切る。各区画Ａには、例えば袋に薬剤を封入した等のスティック状製品Ｂが多数充填され、各スティック状製品Ｂは容器本体１１０の底板１１２から上端部（上部係止部１１１Ｂ）をこえて、蓋体１２０の内部にまで侵入する長尺状をなすものとすることができる。
【００３３】
容器１００は、仕切体１３０の各仕切部１３２が容器本体１１０の筒状体１１１の内面に当接し得る側縁部１３２Ａを備えるとともに、容器本体１１０の開口部１１０Ａに臨む上記側縁部１３２Ａの上端に容器本体１１０の平面視で該容器本体１１０の開口部１１０Ａの内周より内方にまで切欠かれた蓋装填部１３２Ｂを備える。蓋装填部１３２Ｂは側縁部１３２Ａにつながる水平部と、水平部から立上がる立上り部とからなる。そして、蓋体１２０を、容器本体１１０の開口部１１０Ａの内周より内方で、仕切体１３０の各仕切部１３２が備える蓋装填部１３２Ｂに着脱可能にする。仕切体１３０の各側縁部１３２Ａの上端（蓋装填部１３２Ｂの水平部）は容器本体１１０の筒状体１１１の上部係止部１１１Ｂの直下に配置され、仕切体１３０は上部係止部１１１Ｂに衝合して容器本体１１０から抜け止めされる。
【００３４】
蓋体１２０は、容器本体１１０に取着した状態で、容器本体１１０の側から外方に向けてカップ状等の膨出状をなす膨出部１２１を天面に備え、膨出部１２１の開口側フランジ部１２２を仕切体１３０の蓋装填部１３２Ｂの水平部に着座する。膨出部１２１は、仕切り体１３０の蓋装填部１３２Ｂの立上り部の周囲に被着される。蓋体１２０の膨出部１２１は計量部として用いることができ、膨出部１２１には計量目盛線を付すことができる。蓋体１２０の膨出部１２１は山等の自然物、動物等の形態をなすものとすることができる。蓋体１２０を透明プラスチック体にて形成するとき、容器本体１１０の内容物を視認できる。
【００３５】
本実施例によれば以下の作用効果を奏する。
(a)蓋体１２０の天面が容器本体１１０の側から外方に向けて膨出状をなす膨出部１２１を備える。膨出部１２１の形態として、山等の自然物、動物等の形態を採用することにより、容器１００の外観性を向上できる。膨出部１２１を計量部として用いることもできる。
【００３６】
(b)仕切体１３０の各仕切部１３２は容器本体１１０の内面に当接し得る側縁部１３２Ａを備えるとともに、容器本体１１０の開口部１１０Ａに臨む上記側縁部１３２Ａの上端に該容器本体１１０の平面視で該容器本体１１０の開口部１１０Ａの内周より内方にまで切欠かれた蓋装填部１３２Ｂを備え、蓋体１２０を仕切体１３０の各仕切部１３２が備える蓋装填部１３２Ｂに着脱可能にする。蓋体１２０が容器本体１１０の開口部１１０Ａの内面より内方にまで切欠かれた各仕切部１３２の蓋装填部１３２Ｂに着脱される。蓋体１２０が容器本体１１０の上端部を隠すことなく、容器本体１１０の上端部が外界に直に露呈され、容器１００の外観性を向上できる。
【００３７】
(c)仕切体１３０の各仕切部１３２は容器本体１１０の内面に当接し得る側縁部１３２Ａを備えるから、容器本体１１０を直径方向の両側からつかむ外力に対する容器本体１１０の圧縮強度を向上できる。
【００３８】
(d)容器１００の平面視で、蓋体１２０が容器本体１１０の外側に張り出ることがなく、容器本体１１０の外径が容器１００の最大外径になる。従って、複数の容器１００を隣接させて配置するとき、容器１００の配置密度を高密度化でき、包装箱等への充填密度、陳列棚への陳列密度を高密度化できる。
【００３９】
(e)蓋体１２０の膨出部１２１を計量部として使用できる。計量部には計量目盛線を付すことができる。
【００４０】
(f)蓋体１２０の膨出部１２１が透明体からなるものとすることにより、蓋体１２０を容器本体１１０に装填したまま、容器本体１１０の内容物を視認できる。
【００４１】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００４２】
【図１】図１は実施例１の容器を示す斜視図である。
【図２】図２は容器を示す断面図である。
【図３】図３は容器の段積状態を示す断面図である。
【図４】図４は蓋体の構成部品を示し、（Ａ）は外枠を示す斜視図、（Ｂ）は受板を示す斜視図、（Ｃ）は天面部材を示す斜視図、（Ｄ）は押え板を示す斜視図である。
【図５】図５は実施例２の容器を示す斜視図である。
【図６】図６は容器を示す断面図である。
【図７】図７は仕切体を示す斜視図である。
【符号の説明】
【００４３】
１  容器
１０  容器本体
１０Ａ  開口部
２０  蓋体
２１  外枠
２２  受板
２３  天面部材
２３Ａ  外縁部
２３Ｂ  膨出部
２４  押え板
１００  容器
１１０  容器本体
１１０Ａ  開口部
１２０  蓋体
１２１  膨出部
１３０  仕切体
１３２  仕切部
１３２Ａ  側縁部
１３２Ｂ  蓋装填部
【図１】
0003138492.tif 000003
【図２】
0003138492.tif 000004
【図３】
0003138492.tif 000005
【図４】
0003138492.tif 000006
【図５】
0003138492.tif 000007
【図６】
0003138492.tif 000008
【図７】
0003138492.tif 000009